(57)【要約】【課題】本発明は、電子機器のメインスイッチＯＦＦ後に確実に装置内部の冷却を行うことが可能となり、無駄に消費されていた電力を削減することが可能な電子機器を提供する。【解決手段】画像形成装置１００では、メインスイッチ１０７がＯＦＦされたときに、画像形成装置１００の状態に応じて電源ＯＦＦ時間を決定する。そして、決定した電源ＯＦＦ時間に達したときは、冷却手段であるファン１０３をＡＣ電源１１６の電力供給からバッテリー１０４の電力供給に切り替えて駆動し、画像形成装置１００の状態が所定の条件を満足するときは、ファン１０３の駆動を停止する。【選択図】図４
2014233934.tif 000002
【特許請求の範囲】
【請求項１】
ユーザによるＯＮ／ＯＦＦ操作が可能なスイッチを備え、前記スイッチのＯＮにより外部の第１の電源から電力供給を受けて動作する電子機器において、
前記第１の電源によって充電可能な第２の電源と、
前記第１の電源または前記第２の電源からの電力供給により駆動して前記電子機器を冷却する冷却手段と、
前記スイッチがＯＦＦされたときに、前記電子機器の状態に応じて前記電子機器の電源ＯＦＦ時間を決定する電源制御手段とを備え、
前記電源制御手段は、前記決定した電源ＯＦＦ時間に達したときは、前記冷却手段を前記第１の電源から前記第２の電源に切り替えて駆動し、前記電子機器の状態が所定の条件を満足するときは、前記冷却手段の駆動を停止するように制御することを特徴とする電子機器。
【請求項２】
前記電子機器の各部の温度を検出する検出手段をさらに備え、
前記電源制御手段は、前記検出手段により検出された各部の温度に応じて前記電子機器の電源ＯＦＦ時間を決定することを特徴とする請求項１に記載の電子機器。
【請求項３】
前記電源制御手段は、前記検出手段により検出された各部の温度が所定の温度以下になったときには、前記冷却手段の駆動を停止するように制御することを特徴とすることを特徴とする請求項２に記載の電子機器。
【請求項４】
前記冷却手段の駆動時間を計測する第１の計測手段をさらに備え、
前記電源制御手段は、前記第１の計測手段により計測された駆動時間が前記電源ＯＦＦ時間に達したときは、前記冷却手段を前記第１の電源から前記第２の電源に切り替えて駆動することを特徴とする請求項１乃至３のいずれか１項に記載の電子機器。
【請求項５】
前記第２の電源の充電量を計測する第２の計測手段をさらに備え、
前記電源制御手段は、前記第２の計測手段により計測された前記第２の電源の充電量に応じて前記電子機器の電源ＯＦＦ時間を決定することを特徴とする請求項１乃至４のいずれか１項に記載の電子機器。
【請求項６】
前記電源制御手段は、前記冷却手段の駆動を停止した後、前記冷却手段によって十分に冷却が行われなかった場合には前記所定の条件を書きかえることを特徴とする請求項１乃至５のいずれか１項に記載の電子機器。
【請求項７】
前記第２の電源の充電を、熱エネルギーを電気エネルギーに変換するエネルギー変換手段によって行うことを特徴とする請求項１乃至６のいずれか１項に記載の電子機器。
【請求項８】
前記第２の電源は、前記スイッチのＯＮにより充電が開始されることを特徴とする請求項１乃至７のいずれか１項に記載の電子機器。
【請求項９】
ユーザによるＯＮ／ＯＦＦ操作が可能なスイッチを備え、前記スイッチのＯＮにより外部の第１の電源から電力供給を受けて動作する電子機器の制御方法において、
前記第１の電源または前記第１の電源によって充電可能な第２の電源からの電力供給により冷却手段を駆動して前記電子機器を冷却する冷却工程と、
前記スイッチがＯＦＦされたときに、前記電子機器の状態に応じて前記電子機器の電源ＯＦＦ時間を決定する決定工程と、
前記決定された電源ＯＦＦ時間に達したときは、前記冷却手段を前記第１の電源から前記第２の電源に切り替えて駆動し、前記電子機器の状態が所定の条件を満足するときは、前記冷却手段の駆動を停止するように制御する制御工程とを備えることを特徴とする制御方法。
【請求項１０】
請求項９に記載の制御方法を電子機器に実行させるためのコンピュータに読み取り可能なプログラム。
【発明の詳細な説明】
【技術分野】
【０００１】
本発明は、電子機器及びその制御方法、並びにプログラムに関し、特に、熱エネルギーを使用して媒体に画像を形成する電子機器におけるスイッチＯＦＦ後の冷却手段の電源制御技術に関する。
【背景技術】
【０００２】
従来、熱エネルギーにより画像を形成する方法を利用して画像形成を行う電子機器では、画像形成処理中の定着処理時に加熱を行うため、装置内に熱が滞留する。この熱により、装置内のトナーが、融解、固着、機体筐体、部品及び消耗品等の劣化など、様々な問題を引き起こす原因となっている。そこで、このような画像形成装置のような電子機器では、装置内に冷却手段を設けて、動作中に装置の冷却を行っている。さらに、装置の画像形成処理終了後に所定時間だけ冷却手段である排熱ファンを駆動させ、装置内の排熱処理を行っている。このようにして、処理終了後に熱に滞留による急激な温度上昇を抑制し、装置内のトナーが、融解、固着、機体筐体、部品及び消耗品等の劣化などを防止している。
【０００３】
また、このような電子機器では、ユーザによるメインスイッチのＯＦＦ後も、上記記載の影響を防止するために、冷却手段である排熱ファンをＡＣ電源により駆動して冷却を行っている。この冷却は所定時間だけ、装置内の排熱を行い十分に冷却を行った後に、電子機器への電力供給を完全に切断するような電子機器がある。例えば、特許文献１によれば、ＡＣ電源の遮断を検知し、所定時間だけ冷却ファンを駆動するものが提案されている。装置のＡＣ電源が遮断されたことを検知して信号を発する検知手段とＡＣ電源が遮断後も冷却手段を所定時間だけ駆動する遮断後回転手段を設けることによって装置内の温度上昇を防止する技術が開示されている。
【０００４】
また、例えば、特許文献２によれば、ＡＣ電源の遮断を検知し、検知後は充電電池による給電に切り替え、所定時間だけ冷却手段を駆動するものが提案されている。装置の動作中に熱エネルギーを電気エネルギーへと変換する素子によって充電池を充電しておき、装置のＡＣ電源が遮断されたことを検知して信号を発する検知手段と前記記載の信号を受け取る。その後、装置は、冷却手段の駆動を充電池からの供給に切り替えることで、ＡＣ電源が遮断後も冷却手段を所定時間だけ駆動することによって装置内の温度上昇を防止する技術が開示されている。
【先行技術文献】
【特許文献】
【０００５】
【特許文献１】特開２００１−５３６６号公報
【特許文献２】特開２００５−３４０４２７号公報
【発明の概要】
【発明が解決しようとする課題】
【０００６】
しかしながら、特許文献１および特許文献２では、装置の冷却中に電子機器のＡＣ電源が遮断された場合の冷却手段に関して言及されている。電子機器の冷却をユーザがメインスイッチをＯＦＦしたのちに、所定時間だけ意図的に冷却手段により装置内部の冷却を行っている場合の冷却方法に関しては言及されていない。すなわち、ユーザによってメインスイッチがＯＦＦされた後も、ＡＣ電源により所定時間冷却手段を駆動しているので、冷却手段を駆動させるためだけに装置に電力が供給され、無駄に電力を消費しているという問題がある。
【０００７】
また、ユーザは、メインスイッチＯＦＦ後も装置が動作しているため、装置の電源が完全にＯＦＦされるまで待たされてしまうという問題もある。
【０００８】
本発明は、上記問題に鑑みて成されたものであり、電子機器のメインスイッチＯＦＦ後に確実に装置内部の冷却を行うことが可能となり、無駄に消費されていた電力を削減することが可能な電子機器の電源制御技術を提供することを目的とする。
【課題を解決するための手段】
【０００９】
上記目的を達成するために、本発明の電子機器は、ユーザによるＯＮ／ＯＦＦ操作が可能なスイッチを備え、前記スイッチのＯＮにより外部の第１の電源から電力供給を受けて動作する電子機器において、前記第１の電源によって充電可能な第２の電源と、前記第１の電源または前記第２の電源からの電力供給により駆動して前記電子機器を冷却する冷却手段と、前記スイッチがＯＦＦされたときに、前記電子機器の状態に応じて前記電子機器の電源ＯＦＦ時間を決定する電源制御手段とを備え、前記電源制御手段は、前記決定した電源ＯＦＦ時間に達したときは、前記冷却手段を前記第１の電源から前記第２の電源に切り替えて駆動し、前記電子機器の状態が所定の条件を満足するときは、前記冷却手段の駆動を停止するように制御することを特徴とする。
【発明の効果】
【００１０】
本発明によれば、電子機器のメインスイッチＯＦＦ後、当該装置が所定時間だけ冷却装置を動作させる。これにより、電子機器のメインスイッチＯＦＦ後に確実に装置内部の冷却を行うことが可能となり、無駄に消費されていた電力を削減することが可能となる。
【図面の簡単な説明】
【００１１】
【図１】本発明の第１の実施形態に係る電子機器の概略構成を示すブロック図である。
【図２】図１におけるシステムコントローラの概略構成を示すブロック図である。
【図３】図１における電源制御部の概略構成を示すブロック図である。
【図４】画像形成装置における電源制御処理の流れを示すフローチャートである。
【図５】画像形成装置のＡＣ電源からの電力供給をＯＦＦにするタイミングを示す電源ＯＦＦタイミングテーブルの一例を示す図である。
【図６】図４のステップＳ３４のファン停止後のリカバリ処理の流れを示すフローチャートである。
【図７】本発明の第２の実施形態に係る電子機器の概略構成を示すブロック図である。
【発明を実施するための形態】
【００１２】
以下、本発明の実施の形態を図面を参照して詳細に説明する。
【００１３】
［第１の実施形態］
図１は、本発明の第１の実施形態に係る電子機器の概略構成を示すブロック図である。
【００１４】
画像形成装置１００は、システムコントローラ１０１、電源制御部１０２、バッテリー１０４、画像形成部１０５、表示部１０６、及びメインスイッチ１０７を備える。
【００１５】
システムコントローラ１０１は、電源制御部１０２、画像形成部１０５、表示部１０６、及びメインスイッチ１０７と接続されており、画像形成装置１００全体の制御を行う。詳細な説明は後述する。
【００１６】
電源制御部１０２は、システムコントローラ１０１、ファン１０３、バッテリー１０４、及びＡＣ電源１１６に接続されており、画像形成装置１００の各部への送電を制御する。詳細な説明は後述する。
【００１７】
表示部１０６は、図示しない表示装置コントローラと表示装置から成る。表示装置は、液晶パネルなどを備え、画像形成装置１００の状況等を表示する。また、表示装置は、ユーザからの指示入力手段（不図示）を備えており、印刷枚数や方法等の設定情報を受け付ける役割も果たす。表示装置コントローラは、図示しない独自のＣＰＵを備え、表示装置に表示するデータの制御と、表示装置が受け付けたユーザからの指示の認識を行う。また、表示装置コントローラは、システムコントローラ１０１との間で表示部制御信号線１０８により接続され、システムコントローラ１０１が送信した表示データの受信や、ユーザからの指示をシステムコントローラ１０１に送信する役割も果たす。表示装置コントローラのＣＰＵ（不図示）は、システムコントローラ１０１に依存せず独立動作が可能である。
【００１８】
画像形成部１０５は、図示しないプリントコントローラとプリンタからなる。プリンタは、図示しない紙に印字データを印字する印字部と、紙を搬送する紙搬送部からなる。また、それらのメンテナンスのために、図示しない冷却機構や清掃機構も備えている。印字部には、熱エネルギーにより画像を紙媒体等に熱定着させるための定着装置等も含まれる。そのため、印字部は画像形成装置１００の発熱部と云える。
【００１９】
プリンタコントローラは、図示しない独自のＣＰＵを備え、プリンタが印刷する印字データの制御、紙送り制御、および清掃や冷却といったプリンタの制御を行う。また、プリントコントローラは、画像形成部制御信号線１０９によってシステムコントローラ１０１に接続されており、システムコントローラ１０１が送信した印字データの受信や、プリンタの状態をシステムコントローラ１０１に送信する役割も果たす。プリントコントローラのＣＰＵ（不図示）は、システムコントローラ１０１に依存せず独立動作が可能である。
【００２０】
メインスイッチ１０７は、ユーザによる画像形成装置１００の電源をＯＮ／ＯＦＦ操作が可能なスイッチである。メインスイッチ１０７は、電源制御部１０２ではなく、システムコントローラ１０１に接続されており、メインスイッチ１０７をＯＦＦしても即座に画像形成装置１００の電源がＯＦＦされるわけではない。
【００２１】
電源制御部１０２は、ファン１０３との間でファン制御信号線１１０を介して接続されている。また、電源制御部１０２は、バッテリー１０４との間でバッテリー制御信号線１１１を介して接続されている。また、電源制御部１０２は、主電源供給線１１２を介して商用電源であるＡＣ電源１１６に接続されている。さらに、電源制御部１０２は、電源部制御信号線１１３を介してシステムコントローラ１０１に接続されている。
【００２２】
バッテリー１０４は、ＡＣ電源１１６からのＡＣ電力が電源生成装置３０１により変換されたＤＣ電力により充電可能な蓄電池である。
【００２３】
図２は、図１におけるシステムコントローラ１０１の概略構成を示すブロック図である。
【００２４】
システムコントローラ１０１は、ＣＰＵ２０１、メモリ２０２、チップセット２０３、及び情報記憶装置２０５を備える。情報記憶装置２０５は不揮発性の記憶装置であり、システムコントローラ１０１が起動するために必要なデータを提供する。また、情報記憶装置２０５には、任意のユーザデータの保存も可能である。
【００２５】
ＣＰＵ２０１は、オペレーティングシステム（ＯＳ）によって画像形成装置１００全体の制御を統括するほか、画像形成部１０５が印刷する印字データ、表示部１０６が表示する表示データの生成も行う。
【００２６】
チップセット２０３は、システムコントローラ１０１と外部インターフェイスを接続するＩ／Ｏコントローラである。チップセット２０３には、表示部コネクタ２１０、画像形成部コネクタ２１１、及び電源コネクタ２１２を介して、表示部１０６、画像形成部１０５、及び電源制御部１０２とそれぞれ接続されており、これらのＣＰＵ２０１による制御が行われる。また、チップセット２０３には、シリアルＡＴＡなどの専用バス２０７を介して情報記憶装置２０５に接続されており、ＣＰＵ２０１による情報記憶装置２０５へのデータ読み書きの制御が行われる。また、チップセット２０３は、汎用Ｉ／Ｏピンを備え、この汎用Ｉ／Ｏピンにメインスイッチ１０７が接続されていて、メインスイッチ１０７のＯＮ／ＯＦＦがＣＰＵ２０１に伝わる。さらに、チップセット２０３は、不揮発性メモリ２０４を備えており、該不揮発性メモリ２０４に起動時に不可欠な情報が保持される。
【００２７】
メモリ２０２は、ＣＰＵ２０１に直結されており、ＣＰＵ２０１内部の図示しないメモリコントローラによって制御されている。メモリ２０２は、ＣＰＵ２０１が実行する各種アプリケーションを展開する場所として使用されるほか、表示部１０６へ送信する表示データや、画像形成部１０５へ送信する印字データの生成においても使用される。
【００２８】
図３は、図１における電源制御部１０２の概略構成を示すブロック図である。
【００２９】
電源制御部１０２は、電源制御コントローラ３００と電源生成装置３０１を備える。電源生成装置３０１は、主電源供給線１１２を介してＡＣ電源１１６に接続され、主電源供給線１１２によって得た電力を変圧する変圧器（不図示）、および変圧した電力を直流に変換するＡＣ／ＤＣコンバータ（不図示）を備える。
【００３０】
電源制御コントローラ３００は、電源制御装置制御信号線３０３を介して電源生成装置３０１と接続されており、電源生成装置３０１が生成する電源の制御と、システムコントローラ１０１や画像形成部１０５といった画像形成装置１００各部への送電制御も行う。
【００３１】
さらに、電源制御コントローラ３００は、バッテリー制御信号線１１１を介してバッテリー１０４に接続されており、バッテリー１０４の充放電の制御やバッテリー１０４の充電量の計測を行う。そして、電源制御コントローラ３００は、ファン制御信号線１１０を介して、装置の冷却手段であるファン１０３に接続されており、ファン１０３の駆動制御も行っている。また、電源制御コントローラ３００は、電源部制御信号線１１３を介してシステムコントローラ１０１に接続されており、システムコントローラ１０１の指示に従って、画像形成装置１００の各部への電力供給を入断する。
【００３２】
次に、画像形成装置１００における電源制御処理について説明する。
【００３３】
図４は、画像形成装置１００における電源制御処理の流れを示すフローチャートである。
【００３４】
まず、ＣＰＵ２０１は、ＯＮ操作を示す信号をメインスイッチ１０７から受け取ると（ステップＳ１０でＹＥＳ）、チップセット２０３を介して電源制御部１０２に起動制御信号を送信し、画像形成装置１００の起動を行う。
【００３５】
電源制御部１０２は、起動制御信号を受信すると、ＡＣ電源１１６から主電源供給線１１２を介して得た電力から、電源生成装置３０１によってＤＣ電源を生成し、画像形成装置１００の各部への送電を入にする。このとき、同時に、電源制御コントローラ３００によりバッテリー制御信号線１１１を介してバッテリー１０４の充電を開始する（ステップＳ１２）。起動が終了すると画像形成装置１００は各種機能をユーザに提供する。その後、ＣＰＵ２０１は、ＯＦＦ操作を示す信号をメインスイッチ１０７から受け取る（ステップＳ１４でＹＥＳ）。
【００３６】
次に、ＣＰＵ２０１は、電源制御部１０２の電源制御コントローラ３００により計測されたバッテリー１０４の充電量を参照する（ステップＳ１６）。
【００３７】
次に、ＣＰＵ２０１は、画像形成装置１００に搭載された温度センサ（不図示）によって検出した画像形成部１０５における印字部温度、画像形成装置１００の周辺温度、画像形成装置１００の内部温度を参照する（ステップＳ１８）。画像形成装置１００の周辺温度は、画像形成装置１００が設置された周辺部の温度と略同一であり、画像形成装置１００の内部温度は、印字部以外の画像形成装置１００内部の温度である。
【００３８】
次に、ＣＰＵ２０１は、情報記憶装置２０５に保存された電源ＯＦＦタイミングテーブルを参照する（ステップＳ２０）。電源ＯＦＦタイミングテーブルの一例を図５に示す。なお、電源ＯＦＦタイミングテーブル５００は、図示しないＲＡＭ等の不揮発性メモリに保存されていてもよい。
【００３９】
図５において、周辺温度５０１は、画像形成装置１００の周辺温度を示し、バッテリー充電量５０２はバッテリー１０４の充電量を示している。印字部の温度５０３は、バッテリー１０４の充電量に従って、ファン１０３による冷却が可能な画像形成部１０５内部の印字部（発熱部）の温度を示している。装置電源ＯＦＦ時間５０４は、ＡＣ電源１１６の電力供給からバッテリー１０４の電力供給に切り替わるタイミングを示している。画像形成装置１００の内部温度に関しては、図示のテーブルに記載されていないが、内部温度を加味して装置電源ＯＦＦ時間を決定するようなテーブルとしてもよい。また、参照するパラメータとして、装置の状態や入力電圧等、画像形成装置１００から取得できるあらゆるパラメータをテーブルに記載することも可能である。一方、バッテリーの充電量のみによって装置電源のＯＦＦ時間を決定するようなパラメータがテーブルに記載されていてもよい。
【００４０】
図４に戻り、ステップＳ２２では、ＣＰＵ２０１は、ステップＳ２０での参照結果を元に、装置電源のＯＦＦ時間を決定し、シャットダウン信号と共に、装置電源ＯＦＦ時間を電源部制御信号線１１３を介して電源制御部１０２に送信する。
【００４１】
電源制御部１０２の電源制御コントローラ３００は、ＣＰＵ２０１から送信されたシャットダウン信号と装置電源ＯＦＦ時間を受信する。そして、電源制御コントローラ３００は、電源生成装置３０１によって生成されたＡＣ電源１１６の電力をファン制御信号線１１０を介してファン１０３に供給し、ファン１０３の駆動をする。同時に、電源制御部１０２は、画像形成装置１００の各部（画像形成部等）に供給されているＡＣ電源１１６の電力を断ち、電源をＯＦＦする（ステップＳ２４）。ここで、ファン１０３への電力供給は、シャットダウン信号を電源制御部１０２が受信した時点でＡＣ電源１１６の電力により駆動しているが、ステップＳ１０のメインスイッチ１０７のＯＮ時点で駆動させてもよい。
【００４２】
電源制御コントローラ３００は、図示しないタイマを動作させ、ステップＳ２４で受信した装置電源ＯＦＦ時間までカウントを行い、装置電源ＯＦＦ時間となったか否かを判断する（ステップＳ２６）。電源制御コントローラ３００は装置電源ＯＦＦ時間となったと判断した場合に、ファン１０３へＡＣ電源１１６から供給している電力を断つ（ステップＳ２８）。なお、ステップＳ２４において供給されているＡＣ電源１１６の電力を断たれた画像形成装置１００の各部（画像形成部等）をステップＳ２８でＡＣ電源１１６の電力を断つ構成にしてもよい。
【００４３】
次に、ステップＳ３０では、電源制御コントローラ３００は、ファン１０３への電力供給をバッテリー１０４からの供給に切り替え、ファン１０３を駆動する。
【００４４】
次に、電源制御コントローラ３００は、温度センサー等により検出された画像形成装置１００各部の温度が所定の温度以下になったか判断することで冷却が十分に行われたか判断する（ステップＳ３２）。電源制御コントローラ３００は、画像形成装置１００各部の冷却が十分に行われたと判断した場合には、ファン１０３への電力供給を断ち、ファン１０３の駆動を完全に停止する（ステップＳ３４）。
【００４５】
ステップＳ３２では、画像形成装置１００各部の温度が所定の温度以下になったか判断することで、冷却が十分に行われたか判断を行っている。なお、図５に示す電源ＯＦＦタイミングテーブル５００にＡＣ電源１１６の電力を断ったのちにバッテリー１０４によって供給されている電力を断つ時間を設定してもよい。さらに、ステップＳ３０でファン１０３をバッテリー１０４から駆動した時点で、電源制御コントローラ３００の監視を終了し、バッテリー１０４の充電量がなくなり、放電が終了するまでファン１０３を駆動するようにしてもよい。
【００４６】
図６は、図４のステップＳ３４でファン１０３が停止した後のリカバリ処理の流れを示すフローチャートである。
【００４７】
まず、ファン１０３が停止（ステップＳ３４）した後、電源制御コントローラ３００は、温度センサー（不図示）により測定された画像形成装置１００の各部の温度を参照する（ステップＳ１０２）。各部の温度が所定の温度以下になったか判断することで冷却が十分に行われたか判断する（ステップＳ１０４）。電源制御コントローラ３００は、画像形成装置１００各部の冷却が十分に行われたと判断した場合には、本処理を終了する。各部の温度が所定の温度以下でない場合には（ステップＳ１０４でＮＯ）、電源制御コントローラ３００は、図示しないタイマによりファン１０３の駆動時間の計測を開始する（ステップＳ１０６）。同時に、電源制御コントローラ３００はファン１０３を駆動する（ステップＳ１０８）。ここでは、バッテリー１０４の放電が可能であるならばバッテリー１０４から電力を供給し、バッテリー１０４による電力供給が不可能であるならば、ＡＣ電源１１６から電力を供給することでファン１０３を駆動する。
【００４８】
次に、電源制御コントローラ３００は、再び温度センサーにより測定された画像形成装置１００の各部の温度を参照する（ステップＳ１１０）。画像形成装置１００の各部の温度が所定の温度以下になり、十分に冷却されたか判断を行う（ステップＳ１１２）。画像形成装置１００の各部が十分に冷却されたと判断した場合には、電源制御コントローラ３００は、ファン１０３の電力供給を断ち、ファン１０３の駆動を停止する（ステップＳ１１４）。同時に、電源制御コントローラ３００は、不図示のタイマによりファン１０３の駆動時間の計測を終了する（ステップＳ１１６）。
【００４９】
次に、電源制御コントローラ３００は、計測したファンの１０３の駆動時間や、参照した温度を書き換え可能な不揮発性メモリ（不図示）に保存し、すべての電源を断する。その後、画像形成装置１００の起動後、書き換え可能な不揮発性メモリに保存した情報をシステムコントローラ１０１に送信し、ＣＰＵ２０１は、情報記憶装置２０５に保存された電源ＯＦＦタイミングテーブル５００を更新する（ステップＳ１１８）。
【００５０】
本実施形態では、シャットダウン時を例に説明を行っているが、電子機器が備えている低消費電力の動作モードである省電力動作時やスリープ動作時においても適用が可能である。また、冷却手段はファン１０３を使用しているが、装置内部の冷却が可能であればペルチェ素子等のデバイスによって冷却をしてもよい。
【００５１】
本実施形態によれば、メインスイッチ１０７がＯＦＦされたときに、画像形成装置１００の状態に応じて電源ＯＦＦ時間を決定する。そして、決定した電源ＯＦＦ時間に達したときは、冷却手段であるファン１０３をＡＣ電源１１６の電力供給からバッテリー１０４の電力供給に切り替えて駆動し、画像形成装置１００の状態が所定の条件を満足するときは、ファン１０３の駆動を停止する。これにより、シャットダウン時に装置内部の冷却を行うためだけに画像形成装置１００各部に電力を供給する必要がなくなり、無駄な電力の消費を削減することが可能となる。
【００５２】
［第２の実施形態］
上記第１の実施形態では、ＡＣ電源１１６からの電力供給によってバッテリー１０４を充電する構成について説明したが、他の電力供給手段によってもバッテリー１０４の充電を行っても構わない。
【００５３】
図７は、本発明の第２の実施形態に係る電子機器の概略構成を示すブロック図である。
【００５４】
画像形成装置２００は、システムコントローラ１０１、電源制御部１０２、バッテリー１０４、画像形成部１０５、表示部１０６、メインスイッチ１０７、及び熱発電素子１１４を備える。画像形成装置２００は、図１に示す画像形成装置１００に対して、熱発電素子１１４と熱発電供給信号１１５が追加された点が異なるだけで、それら以外の構成部については図１で説明した通りである。
【００５５】
図７において、熱発電素子１１４は、バッテリー１０４と熱発電供給信号１１５を介して接続され、バッテリー１０４に電力を供給する。熱発電素子１１４は、熱エネルギーを電気エネルギーに変換するデバイス（エネルギー変換手段）であり、一方の面と他方の面の温度差によって電力を発生させる。したがって、一方の面は高温部、他方の面は低温部になるように設置されている。このようにして、熱発電素子１１４は、画像形成装置１００が発生した余分な熱源を吸収し、電気エネルギーへと変換する。
【００５６】
次に、画像形成装置２００における電源制御処理について図４を参照して説明する。なお、第１の実施形態との差異のみを説明する。
【００５７】
まず、画像形成装置２００のシステムコントローラ１０１は、ＯＮ操作を示す信号をメインスイッチ１０７から受け取ると（ステップＳ１０でＹＥＳ）、チップセット２０３を介して電源制御部１０２に起動制御信号を送信し、画像形成装置１００の起動を行う。
【００５８】
電源制御部１０２は、起動制御信号を受信すると、ＡＣ電源１１６から主電源供給線１１２を介して得たＡＣ電力から、電源生成装置３０１によってＤＣ電源を生成し、画像形成装置１００の各部への送電を入にする。このとき、画像形成装置１００は起動を開始していることから、画像形成部１０５やシステムコントローラ１０１から熱が発生している。そこで、この熱を熱源として熱発電素子１１４によって変換した電気エネルギーをバッテリー１０４に供給し、充電を開始する（ステップＳ１２）。その後の処理は、上記第１の実施形態で説明した図４に示す処理と同様である。
【００５９】
本実施形態では、熱発電素子１１４を電力源としてバッテリー１０４に電力を供給しているが、太陽電池や振動発電素子、電波発電素子などの他の発電素子によってバッテリー１０４の電力供給を行ってもよい。
【００６０】
本実施形態によれば、バッテリー１０４の充電を熱発電素子１１４によって電力を供給することによって行う。この結果、バッテリーの電力供給源として、熱発電素子１１４によって発電した電力を用いているため、さらなる省電力化が可能である。
【００６１】
なお、上述した実施形態では、電子機器として画像形成装置を例として説明したが、これに限定されることなく、プロジェクターやサーバーＰＣ、パーソナルコンピュータなどの高温の発熱源を有し電子機器にも適用が可能である。また、本発明の他の目的としては、メインスイッチＯＦＦ後に確実に装置内部の冷却を行う装置を提供することにある。
【００６２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６３】
１００  画像形成装置
１０１  システムコントローラ
１０２  電源制御部
１０３  ファン
１０４  バッテリー
２０１  ＣＰＵ
２０２  メモリ
２０３  チップセット
２０５  情報記憶装置
【図１】
2014233934.tif 000003
【図２】
2014233934.tif 000004
【図３】
2014233934.tif 000005
【図４】
2014233934.tif 000006
【図５】
2014233934.tif 000007
【図６】
2014233934.tif 000008
【図７】
2014233934.tif 000009